(57)【要約】【課題】高齢者、女性、子供等の指紋照合困難な人でも、指紋照合が円滑にできるようにする。【解決手段】指紋登録時、年齢・性別・指の状態等の個人情報を入力し、この個人情報から各種照合パラメータを演算して、個人情報及び各種照合パラメータを入力指紋データ５に付加して登録指紋データ９として登録する。指紋照合時に、登録指紋データ９から個人情報及び各種照合パラメータを読み出し、入力指紋データ５と登録指紋データ９とを比較し、所定の照合判定値（例えば照合率）を、上記読み出された個人情報に対応する照合パラメータにより補正した値に基づいて上記比較値を判定して個人を識別する。【選択図】        図２
2004258892.tif 000002
【特許請求の範囲】
【請求項１】
入力された指紋データに、入力された個人情報とこの個人情報から得られた照合パラメータとを付加した登録指紋データを登録する指紋登録手段と、上記入力指紋データと上記登録指紋データとを、上記個人情報に対応する上記照合パラメータに基づいて照合する指紋照合手段とを備えてなる指紋照合装置。
【請求項２】
置かれた指の指紋データを入力する指紋センサと、個人情報を入力する個人情報入力装置とを設け、上記個人情報から各種照合パラメータを演算する照合パラメータ演算手段と、上記個人情報及び上記演算された各種照合パラメータを上記入力指紋データに付加して登録指紋データを生成する情報付加手段とを有する指紋登録手段と、上記登録指紋データから上記個人情報及び上記各種照合パラメータを読み出す情報読出し手段と、所定の指置き判定値を上記読み出された個人情報に対応する、照合パラメータにより補正した値に基づいて上記入力指紋データを判定する指置き判定手段とを有する指紋照合手段とを備えてなる指紋照合装置。
【請求項３】
置かれた指の指紋データを入力する指紋センサと、個人情報を入力する個人情報入力手段とを設け、上記個人情報から各種照合パラメータを演算する照合パラメータ演算手段と、上記個人情報及び上記演算された各種照合パラメータを上記入力指紋データに付加して登録指紋データを生成する情報付加手段とを有する指紋登録手段と、上記登録指紋データから上記個人情報及び上記各種照合パラメータを読み出す情報読出し手段と、入力指紋データと上記登録指紋データとを比較し、所定の照合判定値を上記読み出された個人情報に対応する照合パラメータにより補正した値に基づいて上記比較値を判定する照合手段とを有する指紋照合手段とを備えてなる指紋照合装置。
【請求項４】
照合パラメータ演算手段は、照合パラメータの下限値を個人情報に対応してそれぞれ補正演算するものとしたことを特徴とする請求項２又は請求項３記載の指紋照合装置。
【請求項５】
個人情報は、年齢・性別・指紋登録時の季節・職業・指の状態等の個人に属する特有の情報としたことを特徴とする請求項２〜請求項４のいずれかに記載の指紋照合装置。
【請求項６】
指紋登録手段を、入力された指紋データを登録指紋データとして登録する第１登録手段と、入力された個人情報とこの個人情報から得られた照合パラメータとを登録する第２登録手段とで構成したことを特徴とする請求項１記載の指紋照合装置。
【発明の詳細な説明】
【０００１】
【発明の属する技術分野】
この発明は、入力された指紋データと登録された指紋データとを照合して両者の一致度を判定する装置に関するものである。
【０００２】
【従来の技術】
従来の指紋照合装置においては、サーチ指紋（入力指紋）データ記憶部又はファイル指紋（登録指紋）データ記憶部に記憶される内容を、照合用特徴点データに付加情報部が付加されたものとなっている。付加情報部の構成例としては、指番号、性別、人種、紋様種別等がある。
照合時、Ｎｏ．ｎのファイル指紋の付加情報部が付加情報比較手段に送られ、サーチ指紋付加情報とファイル指紋付加情報とが比較され、不一致点の有無を検出するようにしている（例えば、特許文献１参照）。
【０００３】
【特許文献１】
特開平７―２９００３号公報（段落１２〜段落１５、図１、図２、図５）
【０００４】
【発明が解決しようとする課題】
上記のような従来の指紋照合装置では、個人情報は複数の登録指紋データから実際に照合の対象となる登録指紋データを絞り込むことはできるが、指紋照合自体の性能向上、例えば高齢者・子供など指紋照合困難な人を救済することはできないという問題点がある。
【０００５】
この発明は、上記問題点を解消するためになされたもので、指紋照合困難な人でも、運用可能な指紋照合装置を提供することを目的とする。
【０００６】
【課題を解決するための手段】
この発明に係る指紋照合装置は、入力された指紋データに、入力された個人情報とこの個人情報から得られた照合パラメータを付加した登録指紋データを登録し、入力指紋データと登録指紋データとを、個人情報に対応する照合パラメータに基づいて照合するようにしたものである。
【０００７】
【発明の実施の形態】
実施の形態１．
図１〜図４はこの発明の第１〜第５発明の一実施の形態を示す図で、図１は指紋登録手段の構成図、図２は指紋照合手段の構成図、図３は指紋登録動作フローチャート、図４は指紋照合動作フローチャートであり、図中同一符号は同一部分を示す。
【０００８】
図１において、登録すべき個人の指紋画像を出力する指紋センサ１及びキーボード、テンキー等で構成された個人情報入力装置２は、それぞれ指紋登録装置の一機能である指紋登録手段３Ａに接続されている。指紋読取り手段４は指紋センサ１から入力された指紋データ５を取得する。また、個人情報入力装置２を人為操作して入力した個人情報６が取得される。この個人情報６には、年齢・性別・登録時の季節・職業・指の状態（汗などの水分が多い、乾燥している、傷・しわが多い等）が設定されている。
【０００９】
個人情報６は照合パラメータ演算手段７で各種演算が実行され、各種の照合パラメータ８に変換される。入力指紋データ５、個人情報６及び照合パラメータ８は、登録指紋データ９として登録される。
【００１０】
図２において、指紋照合装置の他の機能である指紋照合手段３Ｂの指紋読取り手段４は指紋センサ１から入力指紋データ５を取得する。また、個人情報入力装置２から、照合すべき個人を特定する情報を入力させて個人の登録指紋データ９を取り出す。この登録指紋データ９内の個人情報６・照合パラメータ８を指紋読取り手段４に渡して、これを、指置き判定の条件に使用する。指紋読取り手段４で取得された入力指紋データ５と登録指紋データ９は指紋照合手段１１で照合される。この指紋照合では、登録指紋データ９内の個人情報６・照合パラメータ８が本人識別の判定の条件に使用される。判定結果は指紋結果通知手段１２により通知される。
【００１１】
次に、この実施の形態の動作を図３及び図４を参照して説明する。
（１）  指紋登録動作（図３）
利用者が指紋センサ１に指を置くと、ステップＳ１で入力指紋データ５を取り出す。また、ステップＳ２で個人情報入力装置２から入力された個人情報を取り出す。その後、照合パラメータ８を求めるための演算を開始する。ステップＳ３で照合パラメータ８の下限値を設定して、以下各個人情報ごとに補正演算する。まず、ステップＳ４で年齢をチェックする。年齢のチェックでは、一般に年長者及び子供は照合困難な傾向があるため、一定の範囲内であるかチェックする。
【００１２】
年齢が一定の範囲内（年長者・子供ではない）であればステップＳ５へ進み、一定の範囲外であればステップＳ６へ飛ぶ。ステップＳ５では照合パラメータ８の下限値に年齢パラメータαを加算する。次に、ステップＳ６で性別をチェックする。性別のチェックでは、一般に女性のほうが照合困難な傾向があるため、男性であればステップＳ７へ進み、女性であればステップＳ８へ飛ぶ。ステップＳ７では照合パラメータ８の下限値に性別パラメータβを加算する。そして、ステップＳ８で指の状態をチェックする。
【００１３】
指の状態のチェックでは、汗などの水分が多い、乾燥している、傷・しわが多い方が照合困難な傾向があるため、上記条件に該当していなければ、すなわち指の状態が良好であればステップＳ９へ進み、良好でなければステップＳ１０へ飛ぶ。ステップＳ９では照合パラメータ８の下限値に指の状態パラメータγを加算する。同様に、登録時の季節・職業などの情報から各下限値に各パラメータを加算する（図示しない）。そして、ステップＳ１０でこれら演算結果と個人情報を入力指紋データ５に付加し、ステップＳ１１で記憶媒体に記憶する。
【００１４】
（２）  指紋照合動作（図４）
まず、ステップＳ２１で利用者に個人情報入力装置２から個人を特定する情報を入力させて、記憶媒体から該当する登録指紋データ９を取り出す。ステップＳ２２で指紋センサ１から入力指紋データ５を取り出す際に、登録指紋データ９の個人情報６や、照合パラメータ８を取り出して指置き判定をする。すなわち、入力指紋データ５が、所定の指置き判定値に照合パラメータ８を加減算した値を満たすのを待ち、上記（指置き判定値±照合パラメータ）を満たしていればステップＳ２３へ進む。
【００１５】
ステップＳ２３で入力指紋データ５を取得し、ステップＳ２４で入力指紋データ５と登録指紋データ９を比較照合する。すなわち、入力指紋データ５と登録指紋データ９との比較値が、（照合判定値（例えば、照合率）±照合パラメータ）を満たしているかを判定する。上記条件を満たしていれば、本人と判定して、ステップＳ２５で照合ＯＫを通知する。上記条件を満たしていなければ他人と判定して、ステップＳ２６で照合ＮＧを通知する。ここで、ステップＳ３〜Ｓ９は照合パラメータ演算手段を、ステップＳ１０は情報付加手段を、ステップＳ２１は情報読出し手段を、ステップＳ２２は指置き判定手段を、ステップＳ２３，Ｓ２４は照合手段を構成している。
【００１６】
このようにして、登録指紋情報に個人情報６及び照合パラメータ８が付加されているため、個人ごとに指置き時又は照合時の条件判定が可変となり、他人受入率等を高くする（単に照合パラメータを変更して運用するものでは、他人受入率が高くなる）ことなく、指紋照合困難な人も指置き判定又は指紋照合をすることが可能となる。
【００１７】
実施の形態２．
この発明の第６発明の一実施の形態であり、図１〜図４を参照する。
この実施の形態は、実施の形態１が個人情報６及び各種照合パラメータ８を入力指紋データ５に付加して登録するものとしたが、実施の形態２では、入力指紋データ５は登録指紋データとして第１登録手段（図示しない）に登録し、個人情報６及び各種照合パラメータ８は、入力指紋データ５とは別データとして第２登録手段（図示しない）に登録するものである。そして、照合時に、登録指紋データ９と個人情報６及び各種照合パラメータ８を同時に読み出すようにしたものであり、実施の形態１と同様の効果がある。
【００１８】
実施の形態３．
この発明の第１〜第６発明の他の実施の形態であり、図１〜図４を参照する。
この実施の形態は、実施の形態１が個人情報６として年齢・性別・登録時の季節・職業・指の状態を用いるものとしたが、実施の形態３では、上記の外、指紋の取込み・照合の要因となるような情報を用いるようにしたものであり、実施の形態１と同様の効果がある。
【００１９】
【発明の効果】
以上説明したとおりこの発明では、入力された指紋データに、入力された個人情報とこの個人情報から得られた照合パラメータを付加した登録指紋データを登録し、入力指紋データと登録指紋データとを、個人情報に対応する照合パラメータに基づいて照合するようにしたので、個人ごとに照合時の条件判定が可変となり、他人受入率を高くすることなく、指紋照合困難な人も指紋照合することができる。
【図面の簡単な説明】
【図１】この発明の実施の形態１を示す指紋登録手段の構成図。
【図２】この発明の実施の形態１を示す指紋照合手段の構成図。
【図３】この発明の実施の形態１を示す指紋登録動作フローチャート。
【図４】この発明の実施の形態１を示す指紋照合動作フローチャート。
【符号の説明】
１  指紋センサ、  ２  個人情報入力装置、  ３Ａ  指紋登録手段、  ３Ｂ  指紋照合手段、  ４  指紋読取り手段（情報読出し手段を含む）、  ５  入力指紋データ、  ６  個人情報、  ７  照合パラメータ演算手段、  ８  各種照合パラメータ、  ９  登録指紋データ、  １１  指紋照合手段、  １２  指紋結果通知手段。
Ｓ３〜Ｓ９  照合パラメータ演算手段、  Ｓ１０  情報付加手段、  Ｓ２１  情報読出し手段、  Ｓ２２  指置き判定手段、  Ｓ２３，Ｓ２４  照合手段。
【図１】
2004258892.tif 000003
【図２】
2004258892.tif 000004
【図３】
2004258892.tif 000005
【図４】
2004258892.tif 000006